(57)【特許請求の範囲】
【請求項１】
容器口部に、底板に吸込孔を設けたポンプを取着し、胴部に上昇可能な摺動板を設けた吐出容器において、
容器の底部に、胴部の摺動板に係合する支持筒と、該支持筒に連設され周縁に取り外し可能なリングを立設した底板とからなるバージン保持機構を連設し、
リングを取り外して底板を押し上げ、摺動板を上昇させることによって内容物の上面をポンプの底面より上昇させるようにしたことを特徴とする吐出容器。
【発明の詳細な説明】
【０００１】
【発明の属する技術分野】
本発明は、容器、とくにバージン保持機構を具えたクリーム状液吐出容器に関する。
【０００２】
【従来の技術】
容器の口部に吐出ノズルを具えたポンプを取着し、胴部内に上昇可能な摺動板を装着し、吐出ノズルの押し下げ操作に応じてクリーム状内容物を吐出するようにした吐出容器は、従来より周知である。
【０００３】
【発明が解決しようとする課題】
容器の口部に吐出ノズルを具えたポンプを取着し、胴部内に上昇可能な摺動板を装着し、吐出ノズルの押し下げ操作に応じてクリーム状内容物を吐出するようにした吐出容器は、従来より周知である。
従来の吐出容器は、吐出ノズルを上方から押さえる毎に、一定量のクリーム状液を吐出できるが、包装を開いてオーバーキャップを取り外した時に、誤ってノズルを押すと、クリーム状液が不用意に吐出されるというおそれがあった。
また、使用場所でもない所でいたずらに吐出ノズルを押すと、内容液が吐出され、周囲にまき散らされるという問題もあった。
【０００４】
本発明は、上記の事情を考慮し、吐出容器を使用する場所において、使用開始まで、不用意に吐出ノズルを押し下げても内容液が吐出されないようにすることを課題とし、バージン性の保持機構を具えた吐出容器を提供することを目的とする。
【０００５】
【課題を解決するための手段】
本発明は、上記の課題を解決するため、吐出容器として、容器口部に、底板に吸込孔を設けたポンプを取着し、胴部に上昇可能な摺動板を設けた吐出容器において、容器の底部に、胴部の摺動板に係合する支持筒と、該支持筒に連設され周縁に取り外し可能なリングを立設した底板とからなるバージン保持機構を連設し、
リングを取り外して底板を押し上げ、摺動板を上昇させることによって内容物の上面をポンプの底面より上昇させるようにしたことを特徴とする構成を採用する。
【０００６】
【発明の実施の形態】
次に、本発明吐出容器について、図面を参照して説明する。
図１において、Ａは容器、Ｂは容器底部に装着されたバージン保持機構、Ｃは容器口部に取着されたキャップ、Ｄはポンプ、Ｅはポンプに取着された吐出ノズルであり、容器Ａには、クリーム状の内容物が充填される。
【０００７】
容器Ａは、口部１と肩部２、胴部３と底部４とを具えており、口部１の外周には、ねじ５が螺設されている。
胴部３は、断面円形であり、下端部は縮径されて縮径部６が形成され、中間に膨出環７が設けられている。
胴部３の内周には、周縁を弾性スカート板８とし、中央部に凹部９を設けた摺動板１０が装着されている。
【０００８】
底部４には、胴部３の縮径部６外周に嵌合する外筒１１と底板１２、内筒１３とからなる底蓋１４が嵌着されている。
外筒１１の内周には、膨出環７に係合する膨出環１５が設けられ、内筒１３の上端は内方に傾斜しており、バージン保持機構Ｂの支持部１３ａとなっている。
【０００９】
バージン保持機構Ｂは、支持筒１６と、その下端に連設され中央部に空気孔１７を穿孔した底板１８と、該底板１８の周縁に、等間隔をおいて配設された切断可能な連結片１９を介して支持されたリング２０とからなっている。
支持筒１６の上端外周には、係止環２１が設けられており、係止環２１よりリング２０の高さに等しい間隔を置いて、膨出環２２が突設されている。
リング２０の一部には、切断部２３が設けられ、一方の端部は、摘み２４となっている。
【００１０】
キャップＣは、側周壁２５と上壁２６とを具えており、側周壁２５の内周には、ねじ２７が螺設されており、上壁２６には、吐出ノズルＥのための案内筒２８が立設されている。
【００１１】
ポンプＤは、有底のシリンダー３０とステム３１を連接したピストン３２とを具えている。
シリンダー３０の上端には、取付フランジ３３が設けられ、下端の底板３４には、吸込孔３５が穿孔され、底板３４上面には吸込孔３５を開閉する吸込弁３６が装着されている。
ピストン３２には、吐出孔３７が穿孔され、該吐出孔３７を開閉するボール弁３８が装着されている。
【００１２】
吐出ノズルＥは、ノズル４０を穿設したノズルヘッド４１と、ノズルヘッド４１に垂設された外筒４２、およびステム３１に嵌合される取付筒４３とを具えている。
外筒４２は、キャップＣの案内筒２８に摺動自在として嵌挿されており、外筒４２の内側には、ノズルヘッド４１を上方に付勢するばね４４が弾装されている。
【００１３】
次に、本吐出容器の使用態様と作用効果について説明する。
容器Ａには、図２に示すように、クリーム状の内容物ａが一定量収納され、容器口部１に、ポンプＤと吐出ノズルＥを組込んだキャップＣを取着することによって、吐出容器が組み立てられる。
その際、内容物ａとポンプＤの底板３４との間には、空間が設けられており、ノズルヘッド４１を上下動させても、空気を吸い込み吐出するだけで、内容物ａは吐出されない。
【００１４】
使用開始時に、バージン保持機構Ｂの摘み２４を摘んでリング２０を外方に引き廻していくと、連結片１９が順次切断され、リング２０を底板１８から取り外すことができ、バージン保持機構Ｂが無効になる。
【００１５】
次いで、底板１８を押上げると、支持筒１６が摺動板１０を押上げ、内容物ａが上昇する。
図３に示すように、底板１８が、底板１２に接する位置まで押上げられると、支持筒１６の膨出環２２が内筒１３の支持部１３ａに係止され、内容物ａの上面は、ポンプＤの底板３４より上昇し、吸込孔３５は内容物ａ内に位置するようになる。
【００１６】
その後に、吐出ノズルＥのノズルヘッド４１を押下げ操作すると、内容物ａがノズル４０から吐出され、それに応じて摺動板１０が上昇し、空気孔１７より大気が導入され、内容物ａの上面は、常に一定位置に保たれる。
【００１７】
【発明の効果】
本発明は、上記のように構成されているから、次の効果を奏する。
容器内に上昇可能な摺動板を装着した吐出容器において、容器底部に、取り外し可能なリングを具えたバージン保持機構を装着しているから、リングを取り外し底板を押し上げない限り内容物は吐出されない。
したがって不用意な吐出ノズルの押下げに対して、内容物の吐出を防ぐことができた。
【図面の簡単な説明】
【図１】本発明の吐出容器の一部断面正面図である。
【図２】吐出容器の使用前の説明図である。
【図３】バージン保持機構を無効とした使用開始時の吐出容器の説明図である。
【符号の説明】
Ａ      容器
Ｂ      バージン保持機構
Ｃ      キャップ
Ｄ      ポンプ
Ｅ      吐出ノズル
１      口部
３      胴部
４      底部
８      弾性スカート板
１０    摺動板
１３    内筒
１４    底蓋
１６    支持筒
１８    底板
１９    連結片
２０    リング
２３    切断部
２４    摘み
２８    案内筒
３０    シリンダー
３２    ビストン
３４    底板
３５    吸込孔
３６    吸込弁
４０    ノズル
４１    ノズルヘッド
【図１】
0004070962.tif 000002
【図２】
0004070962.tif 000003
【図３】
0004070962.tif 000004